【手続補正書】
【提出日】令和3年2月1日(2021.2.1)
【手続補正１】
【補正対象書類名】特許請求の範囲
【補正対象項目名】全文
【補正方法】変更
【補正の内容】
【特許請求の範囲】
【請求項１】
両面の、インデックス可能な、非ポジティブランピングインサート（１４）であって、前記ランピングインサート（１４）は、３次元ユークリッド空間の第１、第２および第３の軸（Ｘ、Ｙ、Ｚ）の各々の周りに１８０度の回転シンメトリーと、前記第２の軸および第３の軸（Ｙ、Ｚ）により定義される第１の正中面（ＸＰ）と、前記第１の軸および第３の軸（Ｘ、Ｚ）により定義される第２の正中面（ＹＰ）と、前記第１の軸および第２の軸（Ｘ、Ｙ）により定義される第３の正中面（ＺＰ）と、を有し、
前記ランピングインサート（１４）は、前記第１の正中面（ＸＰ）の対向側に位置する２つの第１の面（２４）と、前記第１の面（２４）間に延伸し、周辺エッジ（２８）で各前記第１の面（２４）と交差するインサート周面（２６）と、を備え、
各前記第１の面（２４）は、２つの高くした角部（１８ａ）と、２つの低くした角部（３８ａ）と、を備え、前記高くした角部（１８ａ）は、前記低くした角部（３８ａ）よりも前記第１の正中面（ＸＰ）からさらに遠くにあり、
前記インサート周面（２６）は、２つの第２の面（３０）と、その間に延伸する２つの第３の面（３２）と、を備え、
各前記第１の面（２４）は、２つの正確に対向するカッティング部（３６）を備え、
各前記カッティング部（３６）は、
前記第１および第２のサーフェス（２４、３０）の交線に形成されたメジャーカッティングエッジ（１６）と、
前記高くした角部（１８ａ）の１つにあるコーナーカッティングエッジ（１８）と、
前記コーナーカッティングエッジ（１８）を介して前記メジャーカッティングエッジ（１６）に接続されたワイパーエッジ（２０）と、を備え、
各前記カッティング部（３６）は、前記第１の軸（Ｘ）に平行な視点において、前記ワイパーエッジ（２０）から横方向に延伸するランピングエッジ（２２）をさらに備え、
各前記第３の面（３２）は、２つの非ポジティブランピングレリーフ面（４６）のみを備え、各前記ランピングレリーフ面（４６）は、それぞれのランピングエッジ（２２）から、前記第１の正中面（ＸＰ）方向であって、前記第１の正中面を超えない方向に、延伸する、両面の、インデックス可能な、非ポジティブランピングインサート。
【請求項２】
各前記第１の面（２４）において、第１のカッティング部（３６）の各ランピングエッジ（２２）は、マイナーコーナーエッジ（３８）を介して第２のカッティング部（３６）のメジャーカッティングエッジ（１６）に接続される、請求項１に記載のランピングインサート（１４）。
【請求項３】
前記第３の軸（Ｚ）に平行な視点において、各周辺エッジ（２８）において、各前記マイナーコーナーエッジ（３８）は、前記コーナーカッティングエッジ（１８）のいずれよりも、前記第１の正中面（ＸＰ）に近接して位置される、請求項２に記載のランピングインサート（１４）。
【請求項４】
前記第１の軸（Ｘ）に平行な視点において、各前記第１の面（２４）において、マイナーコーナーエッジ（３８）は、前記コーナーカッティングエッジ（１８）よりも前記第３の正中面（ＺＰ）に近接している、請求項１または２に記載のランピングインサート（１４）。
【請求項５】
前記第１の軸（Ｘ）に平行な視点において、前記ランピングエッジ（２２）は、前記第１の正中面（ＸＰ）と前記第３の面（３２）との間の交差線から少なくとも部分的に離間している、請求項１乃至４のいずれか一項に記載のランピングインサート（１４）。
【請求項６】
前記第１の軸（Ｘ）に平行な視点において、前記第１の正中面（ＸＰ）の手前に位置する前記第３の面（３２）のすべてのポイントは、可視であるか、または前記手前に位置する前記周辺エッジ（２８）に一致する、請求項１乃至５のいずれか一項に記載のランピングインサート（１４）。
【請求項７】
クランプ穴（３４）が、前記第１の面（２４）か、または前記対向する第２の面（３０）の間に延伸し、かつ前記第１の面（２４）または前記第２の面（３０）に向けて開口している、請求項１乃至６のいずれか一項に記載のランピングインサート（１４）。
【請求項８】
各前記第２の面（３０）が、前記第２の正中面（ＹＰ）に平行な、平面の第２のアバットメント面（５０）を備える、請求項１乃至７のいずれか一項に記載のランピングインサート（１４）。
【請求項９】
各前記ランピングレリーフ面（４６）が、前記第３の正中面（ＺＰ）に垂直であるか、または前記第３の正中面（ＺＰ）に対して鋭角的な内部ランピングレリーフ角（β）を形成する、請求項１乃至８のいずれか一項に記載のランピングインサート（１４）。
【請求項１０】
前記第１の軸（Ｘ）に平行な視点において、前記ワイパーエッジ（２０）を始点として、前記ランピングエッジ（２２）に沿って進むと、各連続するポイントは、その前のポイントよりも前記第３の正中面（ＺＰ）により近接して位置する、請求項１乃至９のいずれか一項に記載のランピングインサート（１４）。
【請求項１１】
前記第１の軸（Ｘ）に平行な視点において、前記ランピングエッジ（２２）は、前記第３の正中面（ＺＰ）に対して鋭角的なランピング角（α）を形成し、前記第３の面は（３２）は、２つの非ポジティブワイパーレリーフ面（４２）を備え、各前記ワイパーレリーフ面（４２）は、それぞれのワイパーエッジ（２０）から前記第１の正中面（ＸＰ）に向かって延伸する、請求項１乃至１０のいずれか一項に記載のランピングインサート（１４）。
【請求項１２】
同じ前記第３の面（３２）に属する前記ワイパーレリーフ面（４２）および前記ランピングレリーフ面（４６）は同一平面上にはない、請求項１１に記載のランピングインサート（１４）。
【請求項１３】
前記第１の軸（Ｘ）に平行な視点において、前記鋭角的なランピング角（α）は２０度より小さい、請求項１１または１２に記載のランピングインサート（１４）。
【請求項１４】
各前記ワイパーレリーフ面（４２）は前記第１の正中面（ＸＰ）に垂直である、請求項１１乃至１３のいずれか一項に記載のランピングインサート（１４）。
【請求項１５】
前記ワイパーレリーフ面（４２）同士の間に延伸する第３のアバットメント面（５２）をさらに備える、請求項１１乃至１４のいずれか一項に記載のランピングインサート（１４）。
【請求項１６】
前記第２の正中面（ＹＰ）に平行な前記第３の面のいずれかの任意の断面において、前記第１の正中面（ＸＰ）から前記第３の面（３２）の一つに沿って進むと、各連続ポイントは、その前のポイントに対して、前記第３の正中面（ＺＰ）から同じ距離か、またはより近接して位置する、請求項１乃至１５のいずれか一項に記載のランピングインサート（１４）。
【請求項１７】
前記第３の正中面（ＺＰ）に平行な前記第２の面（３０）のいずれか１つの任意の断面において、前記第１の正中面（ＸＰ）から１つの前記第２の面（３０）に沿って進むと、各連続するポイントは、その前のポイントに対して、前記第２の正中面（ＹＰ）から同じ距離か、または前記第２の正中面（ＹＰ）に近接して位置する、請求項１乃至１６のいずれか一項に記載のランピングインサート（１４）。
【請求項１８】
前記ランピングインサート（１４）は、前記第１、第２および第３の軸（Ｘ、Ｙ、Ｚ）の３つすべてに対して、少なくとも１８０度のカッティングエッジ回転シンメトリーを有する、請求項１乃至１７のいずれか一項に記載のランピングインサート（１４）。
【請求項１９】
前記ワイパーエッジ（２０）から、前記ランピングエッジ（２２）に沿って進むと、前記ランピングエッジ（２２）は、前記第１の正中面（ＸＰ）近くで増大する、請求項１乃至１８のいずれか一項に記載ランピングインサート（１４）。
【請求項２０】
前記ランピングレリーフ面（４６）は、研磨されていない面を構成する、請求項１乃至１９のいずれか一項に記載のランピングインサート（１４）。
【請求項２１】
対向するマシニング端部およびカップリング端部（５６、５８）を有するランピングツール（１０）において、前記マシニング端部（５６）は、請求項１乃至２０のいずれか一項に記載されたランピングインサート（１４）を保持する少なくとも１つのポケット（１２）を備える、ランピングツール（１０）。
【請求項２２】
前記少なくとも１つのポケットは、
第２のポケットアバットメント面（６２、６４）に開口したねじ穴（６６）を有する第２のポケットアバットメント面（６２、６４）と、
前記第１のポケットアバットメント（６０）面から横方向に延伸する第１及び第３ポケットアバットメント面（６２、６４）と、
前記ポケット（１２）内の前記ランピングインサート（１４）をクランプするように構成されたクランプネジ（６８）と、を備える、請求項２１に記載のランピングツール（１０）。
【請求項２３】
前記カッティングインサートにおいて、
各第１の面（２４）は、前記第１の正中面（ＸＰ）を横切る、平面の第１のアバットメントサブサーフェス（４９）を備え、
各第２の面（３０）は、前記第２の正中面（ＹＰ）に平行な、平面の第２のアバットメント面（５０）を備え、
各第３の面（３２）は、前記第３の正中面（ＺＰ）に平行な平面の第３のアバットメント面（５２）を備え、
クランプ穴（３４）が、対向する第１の面（２４）、または対向する第２の面（３０）の間に延伸し、かつ前記第１の面（２４）または前記第２の面（３０）に開口し、
前記インサートの第１のアバットメント面（４８）は、前記第１のポケットアバットメント面（６２）に隣接し、前記インサートの第２のアバットメント面（５０）は、前記第２のポケットアバットメント面６０に隣接し、前記インサートの第３のアバットメント面（５２）は、前記第３のポケットアバットメント面（６４）に隣接し、
前記クランプネジ（６８）は、前記ネジ穴（６６）にねじ込まれ、前記クランプ内径（３４）に位置する、請求項２２に記載のランピングツール（１０）。